(57)【特許請求の範囲】
【請求項１】
軸と、一端に前記軸と嵌合する軸受を有しかつ他端を開放するとともに内周壁に溝部を有するケースと、前記ケースの内周壁に設けられ、かつ上面に抵抗体を有する基板と、前記基板の抵抗体と摺接するように設けられた刷子と前記ケースの軸受を覆う円筒部を有するとともに前記軸の挿入方向からケースの開放側に向かって突出する突出部を有しかつ前記刷子と対向する側面に前記ケースに設けられた溝部と当接するガイド部を備えた刷子取付板と、一端が前記抵抗体と電気的に接続され、かつ他端が前記ケースの外部に突出するように設けられたコネクタ端子と、前記ケースの開放側を覆うように設けられたカバーと、前記刷子取付板とカバーとの間に設けられたコイルばねとを備え、前記ケースにおける軸受の内周に、軸との中空部を設けたポテンショメータ。
【請求項２】
軸と、一端に前記軸と嵌合する軸受を有しかつ他端を開放するとともに内周壁に溝部を有するケースと、前記ケースの内周壁に設けられ、かつ上面に抵抗体を有する基板と、前記基板の抵抗体と摺接するように設けられた刷子と前記ケースの軸受を覆う円筒部を有するとともに前記軸の挿入方向からケースの開放側に向かって突出する突出部を有しかつ前記刷子と対向する側面に前記ケースに設けられた溝部と当接するガイド部を備えた刷子取付板と、一端が前記抵抗体と電気的に接続され、かつ他端が前記ケースの外部に突出するように設けられたコネクタ端子と、前記ケースの開放側を覆うように設けられたカバーと、前記刷子取付板とカバーとの間に設けられたコイルばねとを備え、前記ケースの軸受の外周にマグネットを設けたポテンショメータ。
【発明の詳細な説明】
【０００１】
【発明の属する技術分野】
本発明は自動車等の排気ガス循環装置用バルブのリフト量の検出に用いられるポテンショメータに関するものである。
【０００２】
【従来の技術】
従来のポテンショメータは、特開平５−２１５５０７号公報に開示されたものが知られている。
【０００３】
以下に、従来のポテンショメータについて、図面を参照しながら説明する。
【０００４】
図５は従来のポテンショメータの断面図である。図において、１は金属製あるいは樹脂製の軸である。２は一端に軸１と嵌合する軸受３を有しかつ他端を開放するとともに内周壁に溝部４を有するケースである。５は上面に抵抗体（図示せず）を有し、かつケース２の内周壁の下面に設けられた樹脂製の基板である。６は基板５の抵抗体上を摺接する刷子である。７は軸１からケース２の開放側に向かって突出し、かつ刷子６と対向する側の側面に、前記ケース２に設けられた溝部４と当接するガイド部８を備えた刷子取付板である。９は一端が基板５の抵抗体と電気的に接続され、かつ他端がケース２の外部に突出するように設けられた金属製のコネクタ端子である。１０はケース２の開放側を覆うように設けたカバーである。１１は刷子取付板７のガイド部８とカバー１０との間に設けられた金属製のコイルばねである。
【０００５】
このポテンショメータの組立方法は、軸１をケース２に設けられた軸受部３に入れた後に、基板５と刷子取付板７とコイルばね１１を挿入する。そして、カバー１０をケース２の開口部に載置してポテンショメータ内部を覆い、作製するものである。
【０００６】
以下に従来のポテンショメータの動作について述べる。
【０００７】
刷子取付板７はケース２の軸受部３と嵌合する軸１と共にケース２の溝部４に沿って直線運動する。この軸１を直線運動させると、その動きに比例して刷子６が基板５上を変位し、かくしてコネクタ端子９から相手側機器に応じた出力信号が取り出されることとなる。
【０００８】
【発明が解決しようとする課題】
しかしながら上記従来の構成では、軸１と軸受部３との間に生じる微小な隙間を通じ、軸１をケース２の開放側と対向する側に引くことによりポテンショメータ内部の気圧が低下するため、外部の塵埃がポテンショメータの内部に侵入し、そしてその塵埃が基板５上に落下し、ポテンショメータの出力が変動するという課題を有していた。
【０００９】
本発明は上記従来の課題を解決するもので、信頼性の向上したポテンショメータを提供することを目的とするものである。
【００１０】
【課題を解決するための手段】
上記目的を達成するために本発明は、軸と、一端に前記軸と嵌合する軸受を有しかつ他端を開放するとともに内周壁に溝部を有するケースと、前記ケースの内周壁に設けられ、かつ上面に抵抗体を有する基板と、前記基板の抵抗体と摺接するように設けられた刷子と前記ケースの軸受を覆う円筒部を有するとともに前記軸の挿入方向からケースの開放側に向かって突出する突出部を有しかつ前記刷子と対向する側面に前記ケースに設けられた溝部と当接するガイド部を備えた刷子取付板と、一端が前記抵抗体と電気的に接続され、かつ他端が前記ケースの外部に突出するように設けられたコネクタ端子と、前記ケースの開放側を覆うように設けられたカバーと、前記刷子取付板とカバーとの間に設けられたコイルばねとを備え、前記ケースにおける軸受の内周に、軸との中空部を設けた構成としたものである。
【００１１】
この構成によれば、信頼性の向上したポテンショメータを提供することができる。
【００１２】
【発明の実施の形態】
本発明の請求項１記載の発明は、軸と、一端に前記軸と嵌合する軸受を有しかつ他端を開放するとともに内周壁に溝部を有するケースと、前記ケースの内周壁に設けられ、かつ上面に抵抗体を有する基板と、前記基板の抵抗体と摺接するように設けられた刷子と前記ケースの軸受を覆う円筒部を有するとともに前記軸の挿入方向からケースの開放側に向かって突出する突出部を有しかつ前記刷子と対向する側面に前記ケースに設けられた溝部と当接するガイド部を備えた刷子取付板と、一端が前記抵抗体と電気的に接続され、かつ他端が前記ケースの外部に突出するように設けられたコネクタ端子と、前記ケースの開放側を覆うように設けられたカバーと、前記刷子取付板とカバーとの間に設けられたコイルばねとを備え、前記ケースにおける軸受の内周に、軸との中空部を設けたことにより、ポテンショメータ内部の気圧が低下しても刷子取付板の円筒部がケース内底部に有する軸受部を覆っているのでポテンショメータの外部の塵埃が基板上まで到達しにくいという作用を有する。
【００１３】
また、請求項２記載の発明は、軸と、一端に前記軸と嵌合する軸受を有しかつ他端を開放するとともに内周壁に溝部を有するケースと、前記ケースの内周壁に設けられ、かつ上面に抵抗体を有する基板と、前記基板の抵抗体と摺接するように設けられた刷子と前記ケースの軸受を覆う円筒部を有するとともに前記軸の挿入方向からケースの開放側に向かって突出する突出部を有しかつ前記刷子と対向する側面に前記ケースに設けられた溝部と当接するガイド部を備えた刷子取付板と、一端が前記抵抗体と電気的に接続され、かつ他端が前記ケースの外部に突出するように設けられたコネクタ端子と、前記ケースの開放側を覆うように設けられたカバーと、前記刷子取付板とカバーとの間に設けられたコイルばねとを備え、前記ケースの軸受の外周にマグネットを設けたことにより、ケース内部に塵埃が侵入しても塵埃が金属製の場合にはマグネットに引き寄せられ、塵埃が基板上まで到達しにくいという効果を有する。
【００１４】
以下、本発明の実施の形態について図面を参照しながら説明する。
【００１５】
（実施の形態１）
図１は本発明の実施の形態１におけるポテンショメータの断面図、図２は同要部であるローターの円筒部とケースの軸受部との嵌合の状態を表す断面図である。
【００１６】
図において、２１は金属製あるいは樹脂製の軸である。２２は一端に軸２１と嵌合する軸受２３を有しかつ他端を開放するとともに内周壁の上面に溝部２４を有するケースである。２５はケース２２の内周壁の下面に設けられ、かつ上面に抵抗体（図示せず）を有する樹脂製の基板である。２６は基板２５の抵抗体上に摺接する金属製の刷子で、この刷子２６は後述する刷子取付板２７と一体に設けられる。２７は一端にケース２２の軸受２３を覆う円筒部２８を有するとともに、他端に軸２１からケース２２の開放側に向かって突出する突出部２９を有し、かつ刷子２６と対向する側面にケース２２に設けられた溝部２４と当接するガイド部３０を備えた刷子取付板である。３１は一端が基板２５の端部において前記抵抗体と電気的に接続され、かつ他端がケース２２の外部に突出するように設けられた金属製のコネクタ端子である。３２はケース２２の開放側を覆うように設けた樹脂製のカバーである。３３は刷子取付板２７の突出部２９とカバー３２との間に設けられた金属製のコイルばねである。そして、刷子取付板２７に設けた円筒部２８の内周面はケース２２に設けた軸受２３の外周面と嵌合しているため、軸２１と軸受２３間から侵入する塵埃は円筒部２８に覆われることになって、塵埃が抵抗体の表面に到達しにくい構成となっている。
【００１７】
以上のように構成された本発明の実施の形態１におけるポテンショメータについて、以下にその組立方法を説明する。
【００１８】
このポテンショメータは軸２１をケース２２における軸受２３に入れた後に、基板２５と刷子取付板２７とコイルばね３３とを挿入し、そしてカバー３２をケース２２の開口部に載置してポテンショメータ内部を覆うとともに、密封樹脂３４を充填して作製するものである。
【００１９】
以上のように構成された本発明の実施の形態１におけるポテンショメータについて、以下にその動作を説明する。
【００２０】
刷子取付板２７はケース２２の軸受２３と嵌合する軸２１と当接し、ケース２２の溝部２４に沿って直線運動する。この軸２１を直線運動させると、その動きに比例して刷子２６が抵抗体上を変位し、かくしてコネクタ端子３１から相手側機器に応じた出力信号が取り出されることとなる。
【００２１】
（実施の形態２）
図３は本発明の実施の形態２におけるポテンショメータの断面図である。ここで、実施の形態１の図１と同一のものは、同一符号を付してその説明は省略する。
【００２２】
図３に示すように、本発明の実施の形態２は軸受４３の内周に軸２１との中空部４４を設けているため、ポテンショメータの外部の塵埃がポテンショメータの内部に侵入した場合でも、その塵埃は刷子取付板４１の円筒部４２および軸受４３の中空部４４によって受け止められるため、基板２５の抵抗体面に塵埃が落下しにくいという効果を有する。
【００２３】
（実施の形態３）
図４は本発明の実施の形態３におけるポテンショメータの断面図である。ここで実施の形態１の図１と同一のものは、同一符号を付して説明を省略する。図４に示すように、本発明の実施の形態３はケース５１の軸受２３の外周面に少なくとも一個のマグネット５２を設けているため、塵埃が金属製の場合にはマグネット５２に引き寄せられることになり、これにより、基板２５の抵抗体面に塵埃が落下しにくいという効果を有する。
【００２４】
【発明の効果】
以上のように本発明は、外部の塵埃がポテンショメータの内部に侵入した場合でも、その塵埃は刷子取付板の円筒部および軸受の中空部によって受け止められるため、抵抗体面に塵埃が到達しにくく、信頼性の向上したポテンショメータを提供することができるものである。
【図面の簡単な説明】
【図１】本発明の一実施の形態におけるポテンショメータの断面図
【図２】同要部である刷子取付板の円筒部にケースの軸受を嵌合した状態を示す断面図
【図３】本発明の実施の形態２におけるポテンショメータの断面図
【図４】本発明の実施の形態３におけるポテンショメータの断面図
【図５】従来のポテンショメータの断面図
【符号の説明】
２１  軸
２２  ケース
２３  軸受
２５  基板
２６  刷子
２７  刷子取付板
２８  円筒部
３１  コネクタ端子
３２  カバー
３３  コイルばね
４４  中空部
５２  マグネット
【図１】
0003633087.tif 000002
【図２】
0003633087.tif 000003
【図３】
0003633087.tif 000004
【図４】
0003633087.tif 000005
【図５】
0003633087.tif 000006